(57)【要約】【課題】ユーザが記録した動画や静止画等の編集、検索、整理が容易となる記録／再生装置、その記録／再生方法、プログラムおよび記録媒体を提供する。【解決手段】動画録画と静止画録画が可能なハードディスクに代表されるランダムアクセスメディアを用いたビデオカメラなどの記録再生装置において、動画データをファイルとして記録する手段と静止画データをファイルとして記録する手段を持ち、動画データの特定部分に対して関連付けした静止画データと、関連付けした情報を作成し、記録する手段を持たせる。【選択図】図１
2005339645.tif 000002
【特許請求の範囲】
【請求項１】
第一の電子データをファイルとして記録する手段と、第二の電子データをファイルとして記録する手段と、前記第一の電子データの特定部分に対して関連付けられた前記第二の電子データに関する情報を管理情報として該第一の電子データに作成し、記録する手段と、前記第二の電子データに対して関連付けられた前記第一の電子データの特定部分に関する情報を管理情報として該第二の電子データに作成し、記録する手段とを有することを特徴とする記録装置。
【請求項２】
第一の電子データをファイルとして記録する手段と、第二の電子データをファイルとして記録する手段と、前記第一の電子データの特定部分に対して関連付けられた前記第二の電子データに関する情報を管理情報として第三の電子データとして作成し、記録する手段とを有することを特徴とする記録装置。
【請求項３】
第一の電子データをファイルとして記録する手段と、第二の電子データをファイルとして記録する手段と、前記第二の電子データを前記第一の電子データから生成できる場合、第二の電子データに関連する前記第一の電子データの特定部分に関する情報を管理情報として該第一の電子データに記録する手段とを有することを特徴とする記録装置。
【請求項４】
第一の電子データをファイルとして記録する手段と、第二の電子データをファイルとして記録する手段と、前記第一の電子データを記録した後に、第一の電子データあるいは第二の電子データを記録したときに、該第一の電子データに対して関連付けられた、後から記録した第一の電子データあるいは第二の電子データに関する情報を管理情報として記録し直す手段とを有することを特徴とする記録装置。
【請求項５】
請求項１乃至４のいずれかに記載の記録装置において、前記第一の電子データおよび前記第二の電子データが、動画データあるいは静止画データのいずれかであることを特徴とする記録装置。
【請求項６】
請求項５に記載の記録装置において、前記第一の電子データが動画データであるとき、記録された動画データを再生する手段を有し、再生中の動画に対して関連付けられた、前記第二の電子データに関する情報を管理情報として該第一の電子データに記録し直す手段を有することを特徴とする記録装置。
【請求項７】
請求項５に記載の記録装置において、前記第一の電子データが動画データであるとき、記録された動画データを再生する手段を有し、再生中の動画に対して関連付けられた、前記第二の電子データに関する情報を管理情報として第三の電子データを作成し、記録する手段を有することを特徴とする記録装置。
【請求項８】
請求項１乃至７のいずれかに記載の記録装置で記録された第一の電子データと第二の電子データを有し、前記第一の電子データが動画データであるときに、記録された動画データを再生する手段と、再生中の該第一の電子データと関連付けられた第二の電子データを再生する手段とを有することを特徴とする再生装置。
【請求項９】
請求項１乃至７のいずれかに記載の記録装置で記録された第一の電子データと第二の電子データを有し、前記第一の電子データが動画データであるとき、記録された動画データを再生する手段と、再生中の前記第一の電子データと関連付けられた第二の電子データの種類が該第一の電子データと異なるときに再生モードを切り替えて再生する手段とを有することを特徴とする再生装置。
【請求項１０】
請求項８または９に記載の再生装置において、前記第一の電子データと関連付けされた第二の電子データを再生する場合、該第一の電子データと該第二の電子データを多重化して、同時に表示することを特徴とする再生装置。
【請求項１１】
請求項８または９に記載の再生装置において、前記第一の電子データと関連付けされた第二の電子データを再生する場合、該第二の電子データを縮小して表示することを特徴とする再生装置。
【請求項１２】
請求項８または９に記載の再生装置において、前記第一の電子データと関連付けされた第二の電子データを再生する場合、第一の電子データの再生から第二の電子データに切り替えて再生することを特徴とする再生装置。
【請求項１３】
請求項８または９に記載の再生装置において、前記第一の電子データと関連付けされた第二の電子データを再生する場合、該第二の電子データの存在を明示することを特徴とする再生装置。
【請求項１４】
第一の電子データの特定部分に対して関連付けられた第二の電子データに関する情報を管理情報として該第一の電子データに作成し、記録し、前記第二の電子データに対して関連付けられた前記第一の電子データの特定部分に関する情報を管理情報として該第二の電子データに作成し、記録することを特徴とする記録方法。
【請求項１５】
第一の電子データの特定部分に対して関連付けられた第二の電子データに関する情報を管理情報として第三の電子データとして作成し、記録することを特徴とする記録方法。
【請求項１６】
第二の電子データを第一の電子データから生成できる場合、第二の電子データに関連する前記第一の電子データの特定部分に関する情報を管理情報として該第一の電子データに記録することを特徴とする記録方法。
【請求項１７】
第一の電子データをファイルとして記録した後に、第一の電子データあるいは第二の電子データを記録したときに、該第一の電子データに対して関連付けられた、後から記録した第一の電子データあるいは第二の電子データに関する情報を管理情報として記録し直すことを特徴とする記録方法。
【請求項１８】
請求項１４乃至１７のいずれかに記載の記録方法で記録された第一の電子データと第二の電子データを有し、前記第一の電子データが動画データである場合、再生中の該第一の電子データと関連付けられた第二の電子データを再生することを特徴とする再生方法。
【請求項１９】
請求項１４乃至１７のいずれかに記載の記録方法で記録された第一の電子データと第二の電子データを有し、前記第一の電子データが動画データである場合、再生中の該第一の電子データと関連付けられた第二の電子データの種類が該第一の電子データと異なるときに再生モードを切り替えて再生することを特徴とする再生方法。
【請求項２０】
コンピュータに、請求項１乃至７のいずれかに記載の記録装置の機能、または、請求項８乃至１３のいずれかに記載の再生装置の機能を実行させるためのプログラム。
【請求項２１】
請求項２０に記載のプログラムを記録したコンピュータ読み取り可能な記録媒体。
【発明の詳細な説明】
【技術分野】
【０００１】
本発明は、情報記録媒体にデータを記録再生する記録／再生装置、その記録／再生方法、記録／再生装置の機能を実行するためのプログラムおよびそのプログラムを記録するコンピュータ読み取り可能な記録媒体に関する。
【背景技術】
【０００２】
近年、動画撮影機能と静止画撮影機能との両方の機能を有するディジタルスチルカメラが商品化されている。これらのカメラにおいては、撮影モードが、静止画撮影モードと動画撮影モードとに分かれており、カメラ側においてモードを切り替えて撮影を行うのが一般的である。
また、それらの撮影した動画像および静止画像を再生、閲覧する場合も、多くの場合、動画閲覧モードと静止画閲覧モードとに分かれており、カメラ側あるいは別の再生装置側で切り替えて再生するのが一般的である。
【０００３】
一方、ディジタルスチルカメラと類似した構成のカメラとして、ディジタルビデオカメラがある。ディジタルスチルカメラは基本的に静止画像を扱うのに対し、ディジタルビデオカメラは基本的に１秒当たり６０フィールド又は１秒当たり３０フレームの動画を扱う点が異なる。
【０００４】
また、ディジタルビデオカメラで静止画記録機能を実現する構成も提案されている。例えば、動画を磁気テープに記録すると共に、静止画を固体メモリに記録する構成のディジタルカメラが商品化されている。
また、動画を撮影中にも高精細な静止画を撮影したいという要求があり、動画撮影中に静止画を撮影して、動画と静止画との対応付けが容易なように埋め込んで記録する技術が提案されている（例えば、特許文献１参照）。
【０００５】
また、動画録画と同時に静止画を撮影したときに、撮影中や再生中のどの時点でどのような静止画を撮影したのかを、撮影中の動画の表示画面内に静止画を挿入して表示することで、撮影した静止画の構図を覚えていなくても、同じような静止画を撮影してしまう無駄を無くして、動画撮影に専念できるようにする方法も提案されている（例えば、特許文献２参照）。
【０００６】
また、動画と静止画が混在して記録されたランダムアクセス可能な記録媒体を用いて、動画再生中に、静止画が存在することを通知し、動画と静止画を選択してユーザが視聴できる提案もなされている（例えば、特許文献３参照）。
【０００７】
また、そのように撮影された静止画ファイル及び動画ファイルに対し、互いに関連付けるための情報を付加することにより、関連ファイルの検索を容易にし、ユーザに関連ファイルの存在を分かり易く示すための技術も提案されている（例えば、特許文献４参照）。
特許文献４の技術では、各ファイルのヘッダに関連のあるファイルのファイル名や撮影時間などを付加して記録しておくことにより、動画ファイルの一覧表示の際には、関連静止画があるファイルにはそれを示すマークを表示し、関連ファイルの一覧も同一画面で閲覧可能にしている。
さらに、静止画ファイル及び動画ファイルが記録されている媒体がランダムアクセス可能なディスク媒体である場合には、関連情報に基づき、互いに関連する静止画と動画とを、切り替えて表示するようにしている。
【特許文献１】特開２００３−１２５３４４号公報
【特許文献２】特開平１１−３０８４８８号公報
【特許文献３】特開平９−２８４６９２号公報
【特許文献４】特開２００３−９０４４号公報
【発明の開示】
【発明が解決しようとする課題】
【０００８】
しかしながら、特許文献４では、静止画と動画とを単に切り替えて表示できるに過ぎないため、動画撮影中に撮影された静止画が、動画中のいつ、どんなシチュエーションで撮影されたものなのかを、ユーザが知ることはできず、結局動画を再生して確認するなどの手間が生じてしまう可能性がある。
【０００９】
また、特許文献２のように、動画の撮影中に撮影された静止画を動画の再生中に表示するだけでは、静止画が存在することは認識できても、録画された動画や静止画の編集、検索、整理などに関しての関連付けがされておらず、ユーザにとって不便なものであるといえる。
また、単にそのとき撮影された静止画だけでなく、ユーザが編集や整理の過程で他の静止画や動画を、特定の再生位置で関連付けることができず、動画などのファイル同士の関連付けとその利用において、万全であるとはいえない。
【００１０】
本発明は、上記のような実情を考慮してなされたものであり、ユーザが記録した動画や静止画等の編集、検索、整理が容易となる記録／再生装置、その記録／再生方法、記録／再生装置の機能を実行するためのプログラムおよびそのプログラムを記録するコンピュータ読み取り可能な記録媒体を提供することを目的とする。
【課題を解決するための手段】
【００１１】
上記課題を解決するために、本発明は次のような構成とした。
（１）第一の電子データをファイルとして記録する手段と、第二の電子データをファイルとして記録する手段と、前記第一の電子データの特定部分に対して関連付けられた前記第二の電子データに関する情報を管理情報として該第一の電子データに作成し、記録する手段と、前記第二の電子データに対して関連付けられた前記第一の電子データの特定部分に関する情報を管理情報として該第二の電子データに作成し、記録する手段とを有する。
（２）第一の電子データをファイルとして記録する手段と、第二の電子データをファイルとして記録する手段と、前記第一の電子データの特定部分に対して関連付けられた前記第二の電子データに関する情報を管理情報として第三の電子データとして作成し、記録する手段とを有する。
（３）第一の電子データをファイルとして記録する手段と、第二の電子データをファイルとして記録する手段と、前記第二の電子データを前記第一の電子データから生成できる場合、第二の電子データに関連する前記第一の電子データの特定部分に関する情報を管理情報として該第一の電子データに記録する手段とを有する。
（４）第一の電子データをファイルとして記録する手段と、第二の電子データをファイルとして記録する手段と、前記第一の電子データを記録した後に、第一の電子データあるいは第二の電子データを記録したときに、該第一の電子データに対して関連付けられた、後から記録した第一の電子データあるいは第二の電子データに関する情報を管理情報として記録し直す手段とを有する。
【００１２】
上述したいずれかの記録装置において、前記第一の電子データおよび前記第二の電子データは、動画データあるいは静止画データのいずれかであっても動作可能である。
また、前記第一の電子データが動画データであるとき、再生中の動画に対して関連付けられた、前記第二の電子データに関する情報を管理情報として該第一の電子データに記録し直すようにしてもよい。
また、前記第一の電子データが動画データであるとき、再生中の動画に対して関連付けられた、前記第二の電子データに関する情報を管理情報として第三の電子データを作成し、記録するようにしてもよい。
【００１３】
本発明の再生装置は、次のいずれかの構成をとる。
（５）上述の記録装置で記録された第一の電子データと第二の電子データを有し、前記第一の電子データが動画データであるときに、記録された動画データを再生する手段と、再生中の該第一の電子データと関連付けられた第二の電子データを再生する手段とを有する。
（６）上述の記録装置で記録された第一の電子データと第二の電子データを有し、前記第一の電子データが動画データであるとき、記録された動画データを再生する手段と、再生中の前記第一の電子データと関連付けられた第二の電子データの種類が該第一の電子データと異なるときに再生モードを切り替えて再生する手段とを有する。
【００１４】
この再生装置において、前記第一の電子データと関連付けされた第二の電子データを再生する場合、次のいずれかによって第二の電子データの存在をユーザに知らせるようにする。
・第一の電子データと第二の電子データを多重化して、同時に表示する。
・第二の電子データを縮小して表示する。
・第一の電子データの再生から第二の電子データに切り替えて再生する。
・第二の電子データの存在をメッセージ等で明示する。
・第二の電子データの存在を効果音等で知らせる。
【００１５】
また、本発明は、上述した構成の記録再生装置の機能を実行させるためのプログラムまたはそのプログラムを記録したコンピュータ読み取り可能な記録媒体によっても構成することができる。
【発明の効果】
【００１６】
本発明により、動画や静止画を特定の再生位置で関連付けて記録できるので、ユーザが記録した動画や静止画等の編集、検索、整理が容易となる。
【発明を実施するための最良の形態】
【００１７】
以下、図面を参照して本発明の記録再生装置に係る好適な実施形態について説明する。
図１は、本発明の実施形態に係る記録再生装置１０１の構成を示したブロック図である。以下の説明では、本発明の記録再生装置は、例えば、動画及び静止画の撮影が可能なカメラや、音声の収録が可能なマイクなどが一体化されたディジタルビデオカメラ一体型の記録再生装置として説明する。
【００１８】
図１において、記録再生装置１０１は、メモリ１０２、システム制御部１０３、圧縮／伸長部１０４、操作部１０５、記録部１０６、出力部１０８、入力部１０９、多重化部１１０からなり、それらの各部はバス１１１で接続されている。
【００１９】
出力部１０８は、液晶パネル等の映像や画像を表示する表示部と、スピーカ等の音声出力部とを備えており、システム制御部１０３からの指示に基づき、画面の表示や音声の出力を行う。
なお、本実施形態では、説明の便宜上、表示部と音声出力部とをまとめて、出力部１０８として説明するが、表示に関連する構成部材と音声出力に関連する構成部材とは別々に構成しても構わない。
【００２０】
入力部１０９は、レンズやＣＣＤなどを備えたデジタル式のカメラによって構成される画像入力部と、マイク等によって構成される音声入力部とを備えており、撮影した映像や画像および収録した音声に応じた動画データ、静止画データ、音声データを生成する。
【００２１】
メモリ１０２は、入力部１０９によって生成された動画データ、静止画データ、音声データを処理する際に、これらのデータを一時的に記憶するものである。
圧縮／伸長部１０４は、入力部１０９によって生成された動画データ、音声データ及び静止画データの符号化・復号化処理を行うビデオコーデックや静止画コーデックである。
多重化部１１０は、符号化されたＡＶデータ（動画データ、音声データ）の分離、多重化を行う。
【００２２】
記録部１０６は、ランダムアクセス可能な記録媒体であるリムーバブルＨＤＤ（Hard Disk Drive）１０７に対して情報の読み書きを行う。
リムーバブルＨＤＤ１０７は、ランダムアクセス可能な記録媒体であればこれに限定するものではなく、例えば、ＭＯ／ＭＤ／ＤＶＤ／ＣＤ−Ｒ等の光ディスクでも構わないし、ＩＣカード／光カード等のカードを用いてもよい。
システム制御部１０３は、例えば、動画撮影や静止画撮影などの処理を含め、記録再生装置１０１全体を制御する。
【００２３】
操作部１０５は、動画撮影ボタンや静止画撮影ボタンなどの各種ボタン、スイッチ等のユーザインターフェースを備えており、ユーザは、この操作部１０５を操作することによって、記録再生装置１０１の種々の動作や処理を操作する。
なお、本実施形態の記録再生装置１０１では、各種データや信号、各部間の命令の受け渡しなどは、バス１１１を介して行われる。
【００２４】
I．動画および静止画の記録
＜実施形態１＞
本発明に係る記録再生装置により撮影した時の動作について説明する。本実施形態１の撮影動作は、動画撮影中に静止画を撮影する場合である。
図２は、本実施形態１の撮影動作を説明する図であり、同図において、ユーザの操作などによって、動画撮影が開始された時に、撮影開始時の映像は２０１に示されるものであり、ここから動画撮影が開始される。この映像は、例えば出力部１０８の表示部などに表示される。
【００２５】
この動画の撮影中にユーザ操作などによって、静止画撮影１の位置で静止画１の撮影が行なわれた場合、図２中の２０２に示すように、動画とは別に撮影された静止画を小さく表示する。
図２の２０２において、大きい方の画像が動画であり、動画の撮影は、この時点ではまだ続いており、撮影された静止画を示す小画面（または子画面）は、例えば、一定時間が経過するか、次の静止画が撮影された時点で表示を消す。
続いて、この動画撮影中にユーザ操作などによって、さらに静止画撮影２の位置で静止画２の撮影が行なわれた場合、図２の２０３に示すように、動画とは別に撮影された静止画を小さく表示する。
動画撮影を終了する時には、図２の２０４のような画面が表示されていることになる。
【００２６】
図３は、本発明に係る記録再生装置により撮影、符号化された画像データのフォーマット例を示す図である。例えば、図３に示した動画像圧縮方式であるＭＰＥＧ（Moving Picture Experts Group）の場合、画像ファイル３０１には、Ｉ−ＰＩＣＴＵＲＥ（Intra coded PICTURE）３０２、Ｐ−ＰＩＣＴＵＲＥ（Predictive coded PICTURE）３０３、Ｂ−ＰＩＣＴＵＲＥ（Bidirectionally predictive coded PICTURE）３０４が存在する。
【００２７】
Ｉ−ＰＩＣＴＵＲＥは、動きの予測を用いずに映像信号を直接符号化したフレーム映像で、１枚の画像を構成するすべての画像情報を保有しているので、ストリームの中でＩ−ＰＩＣＴＵＲＥが多いほど、結果的に圧縮効率は下がる。
Ｐ−ＰＩＣＴＵＲＥは、過去方向からの動きのみから予測を用いて符号化された映像で、直前のＩ−ＰＩＣＴＵＲＥまたはＰ−ＰＩＣＴＵＲＥをリファレンスとして、動きのベクトルと、それを用いて構成された画像とオリジナル画像の差から構成される。一般的に、リファレンスとなるＩ−ＰＩＣＴＵＲＥから離れたＰ−ＰＩＣＴＵＲＥほど画質劣化が起こりやすい。
Ｂ−ＰＩＣＴＵＲＥは、過去および未来の映像双方向からの動きの予測を用いて符号化された映像で、一般的にＰ−ＰＩＣＴＵＲＥよりも少ないビット数で構成される。Ｂ−ＰＩＣＴＵＲＥが連続しても画像の誤差の蓄積は起こらないが、動き補償効果は小さくなる可能性がある。
【００２８】
これらを一単位とする画像の長さ３０５は可変長であり、基本的には予め指定した適当な時間単位で、Ｉ−ＰＩＣＴＵＲＥを入れることで、差分による誤差の拡大をリセットし、それ以外に極端な画像変化（カメラのパンなど）のときに、差分情報では動画像の符号化の効率が悪くなる場合に、新たなＩ−ＰＩＣＴＵＲＥを入れる。
このフォーマットで記述される動画ファイルは、Ｉ−ＰＩＣＴＵＲＥの先頭位置を境目として分割が可能である。
【００２９】
また、撮影中の静止画は、小画面（あるいは子画面）で表示するだけでなく、静止画が作成された際に、撮影したことを示す音を出す、あるいは撮影したことを示すメッセージやアイコンなどを表示する、あるいは撮影したことを示すＬＥＤ（Light Emitting Diode）を点灯させるなどの方法で撮影したことを示しても構わない。即ち、撮影したことをユーザに認識させることができればよい。
【００３０】
図４は、本実施形態１の撮影動作によって撮影された動画ファイルおよび静止画ファイルに関する管理情報を示す図である。
撮影された動画に関する管理情報には、動画のファイル名やタイムスタンプ（動画の記録開始時間）などの情報とともに、関連付けされている静止画ファイルの有無を示すフラグと、実際に関連付けされている静止画ファイル名と、その静止画ファイルが撮影された時の動画ファイルの位置情報（例えば、アドレス位置情報）が記録される。
【００３１】
同様に、撮影された静止画に関する管理情報には、静止画のファイル名やタイムスタンプ（静止画の記録時間）などの情報とともに、関連付けされている動画ファイルの有無を示すフラグと、実際に関連付けされている動画ファイル名と、その静止画が撮影された時の動画ファイル上での位置情報が記録される。
【００３２】
位置情報となるアドレス位置は、図５に示すように、例えばＭＰＥＧファイル中のピクチャの先頭アドレスなどである。図５の場合、アドレス３２１９２の位置のピクチャ５０１に対して、静止画５０２（図４のｘｘｘ．ｊｐｇ）が対応付けされており、アドレス８１９２８の位置のピクチャ５０３に対して、静止画５０４（図４のｙｙｙ．ｊｐｇ）が対応付けされている。
このように、ＭＰＥＧファイル中の特定のタイミングに対して静止画を関連付けできるため、再生時に関連付けされたアドレス位置に再生が達すると、静止画を読み出し、表示したり、静止画再生モードに移行するなどができる。
【００３３】
図４では、動画と静止画の管理情報は、それぞれ動画ファイルと静止画ファイルに記録されるようになっていたが、図６に示したように、動画ファイルと静止画ファイルとは別に、管理情報を記録する管理情報ファイルを持つようにしてもよい。
図６の管理情報は、記録された動画ファイルと静止画ファイルごとのファイル名、タイムスタンプ、関連付けされた動画／静止画ファイルの存在の有無を示すフラグを記録したテーブルと、動画ファイルと静止画ファイルとの関連位置を記録したテーブルからなっている。この場合、動画や静止画の再生する際に、この管理情報ファイルを適宜読み込みや書き込みが行われる。
【００３４】
また、図７に示したように、静止画撮影時には静止画ファイルを作成せず、静止画を撮影したときの動画ファイル中の位置情報（７０１，７０２のピクチャのアドレス）だけを記録するようにしてもよい。この場合には、動画再生時に動画ファイルの該当する位置のフレームから静止画を作成して表示すれば、ユーザには撮影された静止画を表示しているように見える。
【００３５】
また、これらの静止画撮影を撮影する際、記録再生装置の撮像部つまり、カメラ部分を複数用意し、動画像とはまったく別の静止画像を動画撮影と同時に撮影し、同様の関連付けをするようにしてもよい。
【００３６】
次に、図８のフローチャートを用いて、実施形態１の撮影動作の処理手順について説明する。この図８は、図２に示した、動画撮影中にその動画像の静止画を撮影するときの処理手順である。
【００３７】
まず、ユーザが操作部にて動画撮影スイッチをＯＮにするなどして撮影開始を指示することによって、撮影（動画記録）が開始される（ステップＳ８０１）。
動画撮影が開始されると、動画ファイルが作成され、動画記録が始まり（ステップＳ８０２）、記録している動画像を表示部に表示する（ステップＳ８０３）。この動画撮影は、終了指示がユーザから出されるまで、継続して行われることになる。
【００３８】
次に、動画撮影中にユーザが操作部にて静止画撮影スイッチをＯＮにするなどして静止画撮影開始を指示することによって、静止画撮影が開始されると（ステップＳ８０４のＹＥＳ)、静止画記録が実行され（ステップＳ８０５）、表示部にその静止画が子画面に表示され（Ｓ８０６）、ステップＳ８０４に戻り、ユーザからの次の指示を待つ。
このとき、子画面に表示された静止画は、一定時間経つと（ステップＳ８０７のＹＥＳ）、自動的に表示が消去され（ステップＳ８０８）、子画面に表示された静止画を消去してからステップＳ８０４に戻り、ユーザからの次の指示を待つ。
【００３９】
一方、静止画を撮影せず（ステップＳ８０４のＮＯ）、動画撮影を続ける場合（ステップＳ８０９のＮＯ）、ステップＳ８０４に戻り、ユーザからの次の指示を待つ。
しかし、静止画が撮影されず（ステップＳ８０４のＮＯ）、動画撮影の終了指示がされた場合（ステップＳ８０９のＹＥＳ）、動画記録を終了する（ステップＳ８１０）。
【００４０】
＜実施形態２＞
次に、本発明に係る記録再生装置により撮影した時の他の動作について説明する。本実施形態２における撮影動作は、動画撮影を終了した後に静止画を撮影する場合、静止画撮影終了後に動画を撮影する場合、あるいは、これらを組み合わせた場合である。
図９は、本実施形態２の撮影動作を説明する図である。図９において、ユーザの操作などによって動画の撮影が開始され、撮影された動画１（９０１）は、例えば記録再生装置の表示部などに表示される。
【００４１】
この動画１の撮影が終了した後に、ユーザ操作などによって、静止画撮影１の位置で静止画１（９０２）の撮影が行なわれ、動画とは別に撮影された静止画が、例えば記録再生装置の表示部などに表示される。この時、動画と静止画は別に撮影されてはいるが、動画のあとに撮影された静止画として、管理情報に記録される。
続いて、静止画１（９０２）の撮影後にユーザ操作などによって、動画２（９０３）の撮影が開始され、この動画は、静止画９０２の後に撮影された動画として、管理情報に記録される。
さらに、動画２の撮影後に、静止画撮影２の位置で静止画２の撮影が行なわれた場合、同様に、動画２（９０３）の後に撮影された静止画２（９０４）として、管理情報に記録される。
【００４２】
ここで、これらの９０１〜９０４の動画および静止画は、それぞれ独立したファイルとして保存されるが、前に撮影した動画あるいは静止画を管理情報として持つことで、関連付けされたファイルを連続で再生することができる（再生方法については、後述する）。
【００４３】
図１０は、本実施形態２の撮影動作によって撮影された動画ファイルおよび静止画ファイルに関する管理情報を示す図である。
撮影された動画ファイルには、動画のファイル名やタイムスタンプ（動画の撮影が開始された時間）などの情報とともに、関連付けされている静止画ファイルの有無を示すフラグと、実際に関連付けされている静止画ファイル名が管理情報として記録される。
同様に、撮影された静止画ファイルには、静止画のファイル名などの情報とともに、関連付けされている動画ファイルの有無を示すフラグと、実際に関連付けされている動画ファイル名等が記録される。
【００４４】
図１０において、例えば、動画ｘｘｘ．ｍｐｇ（図９の９０１）は最初に撮影された動画であるので、撮影時に対応するファイルが存在しないため、フラグが立っておらず、対応静止画は存在しない。
また、動画ｙｙｙ．ｍｐｇ（図９の９０３）は、静止画ｘｘｘ．ｊｐｇ（図９の９０２）の後に撮影された動画であるので、フラグが立ち、対応する静止画としてｘｘｘ．ｊｐｇ（図９の９０２）が記録される。
【００４５】
また、上記説明では、対応する動画、静止画をそれぞれ直前に撮影された動画あるいは静止画のファイルとしているが、これに限定されたものではなく、直後に撮影される動画或いは静止画が作成された時に該当する画像の管理情報を書き換えて記録するようにしてもよい。
【００４６】
次に、図１１のフローチャートを用いて、本実施形態２の撮影動作の処理手順について説明する。この図１１は、図９に示した、動画撮影中にその動画像の静止画を撮影するときの処理手順である。
【００４７】
まず、ユーザが操作部にて動画撮影スイッチをＯＮにするなどして撮影開始を指示することによって、撮影（動画記録）が開始される（ステップＳ１１０１）。これは、図８と同じであるが、必ずしも動画撮影である必要はなく、静止画撮影から開始されても構わない。
【００４８】
動画撮影が開始されると、動画ファイルが作成され、動画記録が始まり（ステップＳ１１０２）、記録している動画像を表示部に表示する（ステップＳ１１０３）。
その後、ユーザから動画撮影の終了が指示されるまで動画撮影を継続し（ステップＳ１１０４）、動画撮影の終了が指示されると、動画撮影が終了される（ステップＳ１１０５）。
次に、ユーザから再び動画撮影の開始指示がなされると（ステップＳ１１０６のＹＥＳ）、ステップＳ１１０２に戻って、別の動画の撮影および記録を始める。
【００４９】
一方、ユーザが操作部にて静止画撮影スイッチをＯＮにするなどして静止画撮影開始が指示されると（ステップＳ１１０６のＮＯ、Ｓ１１０７のＹＥＳ）、静止画撮影が開始され、静止画記録が実行され（ステップＳ１１０８）、表示部に静止画が表示され（ステップＳ１１０９）、静止画撮影が終了すると（ステップＳ１１１０）、ステップＳ１１０６に戻って、次の撮影指示があるまで待機する。
一方、本体そのものの電源をＯＦＦにした時などのように、動画撮影も静止画撮影も終了した場合（ステップＳ１１０７のＮＯ）、撮影終了となる。
【００５０】
＜実施形態３＞
次に、本発明に係る記録再生装置により撮影した時の他の動作について説明する。本実施形態３は、動画の再生中に静止画を記録する場合である。
図１２は、本実施形態３の撮影動作を説明する図である。図１２において、ユーザの操作などによって、撮影された動画像の再生が開始された時の再生開始時の映像は１２０１に示されるものであり、ここから動画再生が開始される。この映像は、例えば記録再生装置の表示部や、外部出力を通して他の表示装置などに表示される。
【００５１】
この動画の再生中にユーザ操作などによって、静止画撮影１の位置で静止画１の撮影が行なわれた場合、図１２中の１２０２に示すように、再生されている動画とは別に、撮影された静止画が小さく表示される。ここで、大きい方の画像が動画であり、動画の再生はこの時点ではまだ続いており、撮影された静止画を示す小画面（子画面）は、例えば一定時間が経過するか、次の静止画が撮影された時に表示が消される。
静止画撮影や表示については、実施形態１の図２と同様であるが、本実施形態３では既に存在している動画ファイルに、静止画との関連付け情報を管理情報に付け加える処理が加わるところが異なっている。
さらに、動画再生中に、静止画撮影２の位置で別の静止画２の撮影を行うと、図１２の１２０３に示すように動画とは別に撮影された静止画が小さく表示されるとともに管理情報の関連付けを更新し、最後に、１２０４の画像表示で動画の再生を終了する。
このようにして撮影された動画および静止画ファイルについては、実施形態１と同様に、例えば、図４または図６で示したような管理情報を持つことになる。
【００５２】
次に、図１３のフローチャートを用いて、本実施形態３の動画再生中の静止画撮影時の処理手順について説明する。この図１３は、図１２に示した、動画再生中に静止画を撮影するときの処理手順である。
まず、ユーザが操作部にて動画再生スイッチをＯＮにするなどして動画の再生開始を指示することによって、再生（動画再生）が開始される（ステップＳ１３０１）。
【００５３】
動画再生が開始されると、該当の動画ファイルにアクセスし、動画再生が行われ（ステップＳ１３０２）、再生している動画像を表示部に表示する（ステップＳ１３０３）。
次に、動画再生中にユーザが操作部にて静止画撮影スイッチをＯＮにするなどして静止画撮影開始を指示することによって、静止画撮影が開始されると（ステップＳ１３０４のＹＥＳ）、静止画記録が実行されて図４で示したような管理情報を持つファイルとして記録さる（ステップＳ１３０５）。この静止画関連の管理情報として、静止画ファイルの名前、タイムスタンプ（静止画の記録時間）、対応する動画像有りのフラグ、動画ファイル名、静止画撮影指示が出されたときの再生中の動画の位置情報等が更新される。
【００５４】
静止画が記録されると、表示部の小画面（子画面）にこの静止画が表示され（ステップＳ１３０６）、ステップＳ１３０４に戻って、次のユーザ指示を待つ。このとき、この静止画は一定時間経つと（ステップＳ１３０７のＹＥＳ）、自動的に小画面（子画面）に表示された静止画の表示が消去され（ステップＳ１３０８）、ステップＳ１３０４に戻って、次のユーザ指示を待つ。
【００５５】
また、ステップＳ１３０４乃至Ｓ１３０７において、静止画を撮影するのではなく、ユーザが操作部にて静止画選択スイッチをＯＮにするなどして、動画に既存の静止画を関連付けさせた場合にも同様に、図４に示したような管理情報を記録し、指定された静止画を表示部の小画面（子画面）に表示して、ステップＳ１３０４に戻るようにしても良い。
【００５６】
一方、動画再生を終了する、あるいは再生の終端に到達した場合（ステップＳ１３０４のＮＯ、Ｓ１３０９のＹＥＳ）、動画ファイルに撮影された静止画の情報を関連情報として管理情報を更新して（ステップＳ１３１０）、動画再生は終了する（ステップＳ１３１１）。ここで動画ファイルの管理情報としては、対応する静止画有りのフラグと、対応静止画ファイル名、この静止画撮影指示が出されたときの再生中の動画の位置情報等が更新される。
【００５７】
また、ここでは、動画再生終了時に動画ファイルの管理情報を書換えるようにしているが、管理情報を別ファイルで持つ場合には、この別ファイルの関連情報を動画の再生中に書き換えるようにしてもよい。
【００５８】
II．動画および静止画の再生
以下、動画再生中に関連付けされた静止画がある場合の通知方法について説明する。
まず、実施形態１あるいは実施形態３の撮影動作によって記録された動画および静止画を再生する場合について説明する（図１４参照）。
この図１４の例では、動画再生中に、関連付けされた静止画が存在する位置に再生位置が到達した時に、静止画を再生することによって静止画が存在することをユーザに通知したり、あるいは、関連付けされた静止画が存在することユーザに通知するようにする。
【００５９】
（１）動画と静止画を多重化して一つの画面に表示
動画と静止画のデータを多重化して、一つの画面に表示する（図１５参照）。
動画は常に動画表示窓内に表示されており、静止画は動画の再生位置が関連付けされている位置に達した場合にもう一方の静止画表示窓内に再生／表示され、一定時間経過するか、次の静止画再生位置に動画再生位置が達するまで表示される。ここで、動画表示窓と静止画表示窓の大きさや配置位置は特に規定しない。
【００６０】
（２）静止画を小窓に表示
画面に動画を再生表示させ、動画再生中に静止画が関連付けされている位置まで再生された時に、画面に小窓を設けてその小窓に静止画を表示する（図１６参照）。ここで、小窓の大きさや配置位置は特に規定しない。
この小窓は、一定時間経過するか、次の静止画再生位置に動画再生位置が達するまで表示される。または、ユーザの操作による指示で小窓の表示を消すようにしてもよい。
【００６１】
（３）静止画を全画面に表示
動画再生中に静止画が関連付けされている位置まで再生された時に、画面を静止画に切り替えて表示する（図１７参照）。この場合、再生されている動画は停止あるいは一時停止状態にし、一定時間経過するか、ユーザの操作指示で動画再生に復帰する。
【００６２】
（４）静止画の存在をメッセージで通知
動画再生中に静止画が関連付けされている位置まで動画が再生された時に、画面に静止画が存在することを示すメッセージを表示する（図１８参照）。
メッセージは、静止画が存在することだけを示してもよいし、静止画の名前など表示してもよい。その際、該当する静止画の再生の有無をユーザに問うメッセージを表示して、ユーザが該当静止画の再生を選択した際に、図１６や図１７のように静止画を再生するようにしてもよい。
【００６３】
（５）静止画の存在を音で通知
動画再生中に静止画が関連付けされている位置まで再生された時に、静止画が存在することを示す効果音などを鳴らす（図１９参照）。
その際、効果音を鳴らすとともに、動画の再生を停止または一時停止させ、効果音が鳴った後にユーザの操作などにより、静止画再生を選択したときには図１６や図１７のようにして、動画の再生と静止画の再生をできるようにしてもよい。
【００６４】
次に、図２０のフローチャートを用いて、動画再生時の処理手順を説明する。図２０は、図１４に示した、動画再生中にその動画像に関連付けられた静止画を再生するときの処理手順である。
まず、ユーザが操作部にて動画再生スイッチをＯＮにするなどして動画の再生開始を指示することによって再生（動画再生）が開始される（ステップＳ２００１）。
動画再生が開始されると、該当の動画ファイルにアクセスし、動画再生が始まり（ステップＳ２００２）、再生している動画像を表示部に表示する（ステップＳ２００３）。
【００６５】
次に、動画再生中に再生位置が関連付けされた静止画がある再生位置まできたとき（ステップＳ２００４のＹＥＳ）、静止画を読み込んで再生を実行し（ステップＳ２００５）、再生される静止画を表示部の小画面（子画面）に表示し（ステップＳ２００６）、ステップＳ２００４に戻り、次の関連付け位置に到達したかを監視する。これにより、図１６のように動画中に静止画が表示される。ここで、表示された静止画は一定時間経つと（ステップＳ２００７のＹＥＳ）、小画面（子画面）に表示された静止画を自動的に消去し（ステップＳ２００８）、ステップＳ２００４に戻る。
【００６６】
一方、静止画の関連付けされた位置に到達せず（ステップＳ２００４のＮＯ）、ユーザからの動画再生終了指示あるいは再生の終端に到達した場合（ステップＳ２００９のＮＯ）、動画再生は終了する（ステップＳ２０１０）。
また、ユーザの動画再生終了指示もなく、再生の終端にも達していない場合には（ステップＳ２００９のＮＯ）、ステップＳ２００４に戻り、動画再生を継続する。
【００６７】
また、図７のように静止画をファイルとして持たない場合も、図２０と同様に処理できる。ただし、この場合には、図２０のステップＳ２００５で「静止画の読み込み」の代わりに、動画ファイルの該当する位置のフレームから静止画を作成するようにする。
また、静止画の作成処理については、ピクチャを拡大／縮小するなどして表示してもよいし、ピクチャを新たな静止画ファイルに変換してから表示するなどしてもよく、特に処理の限定はしない。
【００６８】
上記の例は、基本的に動画再生中の静止画の再生方法についての例であるが、動画再生中に静止画を表示するだけでなく、再生のモードそのものを切り替えるようにしても構わない。
図２１は、関連付けされたファイルが存在する場合の動画と静止画のモード切り替え動作を説明する図である。
例えば、動画の再生を開始し、静止画が関連付けられた再生位置（静止画再生１）までは動画再生モードである。静止画再生位置１から静止画再生モードに切り替わる。この時、表示は、例えば、図１７のように全画面に静止画を表示するように切り替わる。
【００６９】
ただし、静止画モードへの切り替わりは、特にこの方法、表示に限らず、例えば記録されている静止画のサムネイルや名前の一覧表示画面に切り替わり、該当する静止画にフォーカスなどが合っている状態の画面表示に切り替わるなどでもよい。即ち、関連付けされた静止画がユーザに認識できればよい。
【００７０】
静止画モードに移行した場合、ユーザの操作などで次の静止画の表示に移ることができる。次の画像としては、ファイル名順やサイズ順や時系列順などによって選択する。
例えば、図２１の場合には、動画中に関連付けられた次の静止画（静止画再生２の位置で動画と関連付けられている静止画）が表示される。また、選択の際には、サムネイルや名前の一覧表示を行って、その一覧から選択した静止画を表示するようにしてもよい。
【００７１】
または、選択表示されている静止画に関連付けられている動画があれば、再び動画再生モードに切り替わり、その関連付けられた動画を表示部へ表示する。
図２１の場合、静止画再生２の位置で動画再生モードへ切り替えるときには、静止画再生２の位置で静止画に関連付けられている動画、しかも、その動画の静止画再生２の位置に対応する再生位置から再生する。
【００７２】
次に、図２２のフローチャートを用いて、図２１に示した、関連付けされたファイルが存在する場合の動画と静止画のモード切り替えを行うときの処理手順を説明する。
まず、ユーザが操作部にて動画再生スイッチをＯＮにするなどして動画の再生開始を指示することによって再生（動画再生）が開始される（ステップＳ２２０１）。
動画再生が開始されると、該当の動画ファイルにアクセスし、動画再生が始まり（ステップＳ２２０２）、再生している動画像を表示部に表示する（ステップＳ２２０３）。
【００７３】
次に、動画再生中に再生位置が関連付けされた静止画がある再生位置まできたとき（ステップＳ２２０４のＹＥＳ）、動画再生モードから静止画再生モードへモード切替が行われる（ステップＳ２２０５）。ただし、モード切替をこのタイミングで行わず、まず図１６のように静止画を動画中に小画面（子画面）へ表示するなどしてから、ユーザ操作によってモード切替が行われても構わない。
【００７４】
モード切替後、静止画を読み込んで再生を実行し（ステップＳ２２０６）、再生される静止画を表示部に表示する（ステップＳ２２０７）。このときの表示は、全画面に該当静止画を表示しても構わないし、複数の静止画のサムネイルなどを表示して、フォーカスが該当静止画に合っているように表示するなどしても構わない。その後、他の静止画の表示を選択すると（ステップＳ２２０８のＹＥＳ）、ステップＳ２２０６に戻る。
【００７５】
また、他の静止画の再生をせずに、現在表示している（あるいはフォーカスが合っている）静止画に関連付けされている動画が存在する場合（ステップＳ２２０８のＮＯ、Ｓ２２０９のＹＥＳ）、静止画モードから動画モードに切り替え（ステップＳ２２１０）、ステップＳ２２０２に戻り、該当動画の再生を始める。
【００７６】
さらに、関連付けされた動画の再生を行わず、静止画の再生を終了する場合（ステップＳ２２０９のＮＯ、Ｓ２２１１のＹＥＳ）、静止画再生モードを終了する（ステップＳ２２１２）。
一方、動画再生時に静止画再生を終了しない場合（ステップＳ２２１１のＮＯ）は、ステップＳ２２０７に戻って、次の静止画を選択する。
【００７７】
次に、実施形態２の撮影動作によって記録された動画および静止画を再生する場合について説明する（図２３参照）。
この図２３の例では、動画ファイルと静止画ファイルとが関連付けされていた場合に該当する動画や静止画の再生を行うものである。この場合、最初の動画あるいは静止画の再生が終わった後に、その画像に関連付けされているファイルを関連情報から検索して、次の画像を再生する。本実施形態２の撮影動作では、動画ファイルと静止画ファイルは直前に撮影された動画ファイルあるいは静止画ファイルと関連付けを行った管理情報を持っているので、この管理情報を参照して次に再生する画像を検索する。ただし、管理情報を動画ファイルおよび静止画ファイルに相互に記録させるなどして、現在のファイルから次に再生されるべきファイルを決定させるようにすることによって、検索をしなくてもよいようにできる。
【００７８】
以上、主に動画中に対して静止画を関連付ける場合の例を中心に説明してきたが、図２４のように動画再生中に動画撮影を行ない、動画同士を関連付けしても構わない。このとき撮影された動画は、表示部の子画面や多重化した小画面に表示される。この場合、システム構成などで動画用のコーデックを２つ用意したりするなど、多少の変更が必要である。
また、関連付けされるファイルは、動画ファイルや静止画ファイルに限るものではなく、それ以外のファイル（テキストファイル、図形ファイルや音声ファイル等）を関連付けし、動画や静止画の再生中に関連付けられたファイルを開くようにしても構わない。この場合もシステム構成でそのファイルを開くことのできるアプリケーション機能などを用意する必要がある。
【００７９】
さらに、動画や静止画の再生中だけでなく、それらの選択画面において関連付けられたファイルの一覧やサムネイルを表示することで、再生時のファイル管理を簡便にすることもできる。
例えば、図２５（Ａ）に示したように、動画の代表的な画像をサムネイルとして表示させた場合、動画サムネイル２５０１（図４のｘｘｘ．ｍｐｇ）に関連しているファイル（図４のｘｘｘ．ｊｐｇ，ｙｙｙ．ｊｐｇ）を図２５（Ｂ）の静止画サムネイル２５０２と静止画サムネイル２５０３のように表示するなどして、関連づけられたファイルを明示することができる。
【００８０】
逆に、静止画サムネイルを図２５（Ａ）のように表示し、関連付けされた動画サムネイルを図２５（Ｂ）のように表示するようにしてもよい。
また、サムネイルでの表示に限らず、タイトル名のみのリストなどを表示し、同様に関連ファイルのタイトルリストを表示するなどしても構わない。
【００８１】
図２６は、図２３に示した、実施形態２の撮影動作によって記録された動画と静止画の再生動作の処理手順を示すフローチャートである。
まず、ユーザが操作部にて動画再生スイッチをＯＮにするなどして再生開始を指示することによって再生（動画再生）が開始される（ステップＳ２６０１）。
【００８２】
動画再生が開始されると、該当の動画ファイルにアクセスし、動画再生が始まり（ステップＳ２６０２）、再生している動画像を表示部に表示する（ステップＳ２６０３）。
その後、動画再生が終了したら（ステップＳ２６０４）、この動画に関連付けされたファイルがあるかどうか管理情報を参照して検索する（ステップＳ２６０５）。
【００８３】
検索の結果、関連付けられたファイルがある場合（ステップＳ２６０５のＹＥＳ）、その関連付けられたファイルが動画ファイルであれば（ステップＳ２６０６のＹＥＳ）、ステップＳ２６０２に戻り、関連付けられた動画ファイルの再生を始める。
一方、関連付けられたファイルが動画ファイルでない場合（ステップＳ２６０６のＮＯ）、関連付けられた静止画が読み込まれ（ステップＳ２６０７）、再生された静止画を表示部に表示し（ステップＳ２６０８）、静止画再生が終了すると（ステップＳ２６０９）、ステップＳ２６０５に戻る。このときの表示は、全画面に該当静止画を表示するが、特に表示の仕方を限定するものではない。また、静止画再生の終了は、ユーザの操作により再生終了の指示がなされる場合や、一定時間経過により自動的に終了する場合などあるが、特に限定するものではない。
一方、検索の結果、関連付けられたファイルが存在しない場合（ステップＳ２６０５ＮＯ）、再生処理を終了する（ステップＳ２６１０）。
【００８４】
上記の説明では、動画と静止画は別ファイルで、再生時に順番に読み出すようになっているが、管理情報から順番が分かることを利用して、関連付けされているファイルをまとめて一つの動画ファイルとして新たなファイルを作成して記録しておき、再生の際には、この新たに記録した動画ファイルを再生するようにしてもよい。ここで、一つのファイルにする処理は、再生時に限らず、記録時やその他のタイミングで行っても構わない。
【００８５】
以上説明した記録再生装置は、上述した記録再生装置として機能させるためのプログラムでも実現できる。このプログラムはコンピュータで読み取り可能な記録媒体に格納されている。この記録媒体としては、メインメモリそのものがプログラム記録媒体であってもよいし、また外部にプログラムを読み取る読取装置が設けられ、その読取装置に記録媒体を挿入することでメインメモリへ読み取られるプログラム記録媒体であってもよい。
【００８６】
ここで、上記プログラム記録媒体は、本体と分離可能に構成される記録媒体であり、例えば、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを記録する記録媒体であってもよい。
【００８７】
あるいは、ネットワーク等の通信網を介して記憶装置に格納された上記プログラムをサーバコンピュータから直接供給を受けるようにしてもよいし、また、放送網を介して上記プログラムを受信するようにしてもよい。この場合、上記プログラムを記録している配信もとの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００８８】
【図１】本発明の実施形態に係る記録再生装置の構成を示したブロック図である。
【図２】実施形態１の撮影動作を説明する図である。
【図３】記録再生装置により撮影、符号化された画像データのフォーマット例を示す図である。
【図４】図２の撮影動作により撮影された動画ファイルと静止画ファイルの管理情報の一例を示す図である。
【図５】図２の撮影動作により撮影された動画ファイルと静止画ファイルの対応を示す図である。
【図６】図２の撮影動作により撮影された動画ファイルと静止画ファイルの管理情報の他の一例を示す図である。
【図７】静止画を撮影したときの動画ファイル上の位置情報だけを記録する場合の管理情報の一例を示す図である。
【図８】実施形態１の撮影動作の処理手順を示すフローチャートである。
【図９】実施形態２の撮影動作を説明する図である。
【図１０】図９の撮影動作により撮影された動画ファイルと静止画ファイルの管理情報の一例を示す図である。
【図１１】実施形態２の撮影時の処理手順を示すフローチャートである。
【図１２】実施形態３の撮影動作を説明する図である。
【図１３】実施形態３の動画再生中の静止画撮影動作の処理手順を示すフローチャートである。
【図１４】動画再生と静止画再生動作を説明する図である。
【図１５】動画再生と静止画再生を表示する時の画面の一例（多重化）を示す図である。
【図１６】動画再生と静止画再生を表示する時の画面の一例（小窓）を示す図である。
【図１７】動画再生と静止画再生を表示する時の画面の一例（全画面）を示す図である。
【図１８】動画再生と静止画再生を表示する時の画面の一例（メッセージ）を示す図である。
【図１９】動画再生と静止画再生を表示する時の画面の一例（音）を示す図である。
【図２０】動画再生と関連付けられた静止画再生の処理手順を示すフローチャートである。
【図２１】関連付けられたファイルが存在する場合の動画と静止画のモード切り替え動作を説明する図である。
【図２２】関連付けられたファイルが存在する場合の動画と静止画のモード切り替えを行うときの処理手順を示すフローチャートである。
【図２３】実施形態２の撮影動作によって記録された動画と静止画の再生動作を説明する図である。
【図２４】動画再生中の動画撮影動作を説明する図である。
【図２５】関連付けされたファイルの表示方法の一例を示す図である。
【図２６】実施形態２の撮影動作によって記録された動画と静止画の再生動作の処理手順を示すフローチャートである。
【符号の説明】
【００８９】
１０１…記録再生装置、１０２…メモリ、１０３…システム制御部、１０４…圧縮／伸長部、１０５…操作部、１０６…記録部、１０７…リムーバブルＨＤＤ、１０８…出力部、１０９…入力部、１１０…多重化部、１１１…バス、２０１…動画撮影開始時の表示、２０２…静止画撮影１時の表示、２０３…静止画撮影２時の表示、２０４…撮影終了時の表示、３０１…ＭＰＥＧファイル、３０２…Ｉ‐Ｐｉｃｔｕｒｅ、３０３…Ｐ‐Ｐｉｃｔｕｒｅ、３０４…Ｂ‐Ｐｉｃｔｕｒｅ、３０５…画像長、５０１…アドレス３２１９２の位置のピクチャ、５０２…アドレス３２１９２の位置に対応する静止画、５０３…アドレス８１９２８の位置のピクチャ、５０４…アドレス８１９２８の位置に対応する静止画、７０１…アドレス３２１９２の位置のピクチャ、７０２…アドレス８１９２８の位置のピクチャ、９０１…動画撮影１の表示、９０２…静止画撮影１の表示、９０３…動画撮影１の表示、９０４…静止画撮影２の表示、１２０１…動画再生開始時の表示、１２０２…静止画撮影１時の表示、１２０３…静止画撮影２時の表示、１２０４…動画再生終了時の表示、２４０１…動画再生開始時の表示、２４０２…動画撮影開始時の表示、２４０３…動画撮影終了時の表示、２４０４…動画再生終了時の表示、２５０１…動画または静止画サムネイル、２５０２…静止画または動画サムネイル１、２５０３…静止画または動画サムネイル２。
【図１】
2005339645.tif 000003
【図２】
2005339645.tif 000004
【図３】
2005339645.tif 000005
【図４】
2005339645.tif 000006
【図５】
2005339645.tif 000007
【図６】
2005339645.tif 000008
【図７】
2005339645.tif 000009
【図８】
2005339645.tif 000010
【図９】
2005339645.tif 000011
【図１０】
2005339645.tif 000012
【図１１】
2005339645.tif 000013
【図１２】
2005339645.tif 000014
【図１３】
2005339645.tif 000015
【図１４】
2005339645.tif 000016
【図１５】
2005339645.tif 000017
【図１６】
2005339645.tif 000018
【図１７】
2005339645.tif 000019
【図１８】
2005339645.tif 000020
【図１９】
2005339645.tif 000021
【図２０】
2005339645.tif 000022
【図２１】
2005339645.tif 000023
【図２２】
2005339645.tif 000024
【図２３】
2005339645.tif 000025
【図２４】
2005339645.tif 000026
【図２５】
2005339645.tif 000027
【図２６】
2005339645.tif 000028